(57)【要約】【課題】携帯通信事業者の利益が損なわれないような形態で、携帯通信事業者ネットワークと狭域無線通信ネットワークとを両立させることを可能とする通信管理システムを提供する。【解決手段】携帯端末にＰＡＮ上で行われる通信を管理するための公式ＰＡＮチップを備える。公式ＰＡＮチップは認証機能により、正規のＰＡＮアプリケーションのみに対してＰＡＮ上での通信を許可し、アプリケーションの実行を可能とする。また、公式ＰＡＮチップはＰＡＮ上で実行される通信のステータス情報を収集し、適宜、携帯通信事業者の配置するライセンスサーバに報告する。ライセンスサーバは、ステータス情報に基づいて、携帯電話を利用したＰＡＮ通信の管理や課金などを行う。【選択図】　　　図２
2004128926.tif 000002
【特許請求の範囲】
【請求項１】
サーバ装置と、ネットワークを介して前記サーバ装置と通信可能な携帯端末装置とを備える通信管理システムにおいて、
前記携帯端末装置は、
前記ネットワークを介さない無線通信により他の端末装置と通信する無線通信手段と、
前記無線通信手段による無線通信を伴う処理を実行するアプリケーションと、
前記アプリケーションが正規であるか否かを判定し、正規である場合にのみ、前記アプリケーションによる前記無線通信の実行を許可する制御手段と、を備えることを特徴とする通信管理システム。
【請求項２】
前記制御手段は、
前記無線通信手段による無線通信によるパケット通信量を検出する通信量検出手段と、
前記携帯端末装置の識別情報、前記アプリケーションの識別情報及び前記パケット通信量を含み前記無線通信の実行状況を示すステータス情報を取得し、前記ネットワークを通じて前記サーバ装置へ送信するステータス情報送信手段と、を備え、
前記サーバ装置は、前記ステータス情報に基づいて、前記携帯端末装置による無線通信に関する課金情報を生成することを特徴とする請求項１に記載の通信管理システム。
【請求項３】
ネットワークを介してサーバ装置と通信可能な携帯端末装置において、
前記ネットワークを介さない無線通信により他の端末装置と通信する無線通信手段と、
前記無線通信手段による無線通信を伴う処理を実行するアプリケーションと、
前記アプリケーションが正規であるか否かを判定し、正規である場合にのみ、前記アプリケーションによる前記無線通信の実行を許可する制御手段と、を備えることを特徴とする携帯端末装置。
【請求項４】
前記アプリケーションは、正規アプリケーションであることを示す認証情報を含み、前記制御手段は前記認証情報を利用して前記アプリケーションが正規であるか否かの判定を行うことを特徴とする請求項３に記載の携帯端末装置。
【請求項５】
前記制御手段は、前記無線通信の実行状況を示すステータス情報を取得し、前記ネットワークを通じて前記サーバ装置へ送信するステータス情報送信手段を備えることを特徴とする請求項３又は４に記載の携帯端末装置。
【請求項６】
前記制御手段は、前記無線通信手段による無線通信によるパケット通信量を検出する通信量検出手段を備え、
前記ステータス情報送信手段は、前記携帯端末装置の識別情報、前記アプリケーションの識別情報及び前記パケット通信量を含む前記ステータス情報を送信することを特徴とする請求項５に記載の携帯端末装置。
【請求項７】
ネットワークを介してサーバ装置と通信可能であり、かつ、前記ネットワークを介さない無線通信により他の端末装置と通信可能な携帯端末装置において実行される通信管理プログラムであって、前記携帯端末装置を、
前記無線通信を伴う処理を実行するために前記携帯端末装置に実装されているアプリケーションが正規であるか否かを判定し、正規である場合にのみ、前記アプリケーションによる前記無線通信の実行を許可する制御手段として機能させることを特徴とする通信管理プログラム。
【発明の詳細な説明】
【０００１】
【発明の属する技術分野】
本発明は、携帯通信事業者による広域ネットワーク及び携帯通信端末により構成される狭域無線ネットワークを含む通信環境における、狭域無線ネットワークの通信管理手法に関する。
【０００２】
【従来の技術】
携帯電話会社などの携帯通信事業者は独自の広域ネットワークを利用して通信サービスを行っており、利用者は携帯電話などの携帯通信端末を使用してサービスを受けることができる。そのような通信サービスには、従来からの通話サービスに加え、利用者の携帯電話をインターネットに接続するものがある。即ち、利用者は、携帯電話を操作することにより、携帯通信事業者のネットワークを通じてインターネットへ接続し、各種のウェブサーバからコンテンツのダウンロードを行ったり、特定のアプリケーションを利用したりというサービスを受けることが可能となっている。
【０００３】
その一方で、数１０ｍ程度の通信距離の範囲内における無線通信方式が提案されており、携帯電話などの携帯通信端末にそのような近距離無線通信機能を搭載する動きがある。携帯通信端末にそのような近距離無線通信機能を搭載すると、同じ無線通信機能を搭載した携帯通信端末同士では、携帯通信事業者のネットワークを介することなく自由に情報通信が可能となる。
【０００４】
【発明が解決しようとする課題】
そのような近距離無線通信機能を利用した無線通信は携帯通信事業者のネットワークを介さないため、携帯通信事業者側にとっては、利用者間の情報通信を把握することができず、課金などを行う術がない。よって、携帯通信事業者にとってはそのような無線通信機能を携帯通信端末に搭載する利益がない。そればかりか、逆に利用者同士がそのような無線通信機能を通じて情報通信を行うことにより携帯通信事業者のネットワークを使用しなくなれば、そのような無線通信機能を携帯通信端末に搭載することは携帯通信事業者にとっては帰って不利益となる。
【０００５】
一方、そのような理由で携帯通信端末への無線通信機能の搭載が進まないことは、無線通信機能自体の普及の妨げにもなり、利用者の利益が損なわれることにもなりかねない。
【０００６】
本発明は、以上の点に鑑みてなされたものであり、携帯通信事業者の利益が損なわれないような形態で、携帯通信事業者ネットワークと狭域無線通信ネットワークとを両立させることを可能とする通信管理システムを提供することを課題とする。
【０００７】
【課題を解決するための手段】
本発明の１つの観点では、サーバ装置と、ネットワークを介して前記サーバ装置と通信可能な携帯端末装置とを備える通信管理システムにおいて、前記携帯端末装置は、前記ネットワークを介さない無線通信により他の端末装置と通信する無線通信手段と、前記無線通信手段による無線通信を伴う処理を実行するアプリケーションと、前記アプリケーションが正規であるか否かを判定し、正規である場合にのみ、前記アプリケーションによる前記無線通信の実行を許可する制御手段と、を備える。
【０００８】
上記の通信管理システムによれば、携帯電話などの携帯端末装置はネットワークを通じてサーバ装置と通信可能であることに加え、無線通信手段を有することにより、前記ネットワークを介さずに他の端末装置との無線通信が可能である。携帯端末装置には、その無線通信を伴う処理を実行するためのアプリケーションが実装されている。携帯端末上におけるアプリケーションの実行の際には、そのアプリケーションが正規なものであるか否かを制御手段が判定し、正規である場合に限り、アプリケーションの実行、即ち無線通信の実行を許可する。逆に、アプリケーションが正規でない場合には、アプリケーションの実行、即ち無線通信の実行を禁止する。これにより、正規なアプリケーションのみが携帯端末装置上で実行され、無線通信を行うことが許容されることになり、不正なアプリケーションが携帯端末装置により無線通信を実行することを制限することができる。
【０００９】
上記の通信管理システムの一態様では、前記制御手段は、前記無線通信手段による無線通信によるパケット通信量を検出する通信量検出手段と、前記携帯端末装置の識別情報、前記アプリケーションの識別情報及び前記パケット通信量を含み前記無線通信の実行状況を示すステータス情報を取得し、前記ネットワークを通じて前記サーバ装置へ送信するステータス情報送信手段と、を備え、前記サーバ装置は、前記ステータス情報に基づいて、前記携帯端末装置による無線通信に関する課金情報を生成する。
【００１０】
この態様によれば、携帯端末装置が実行した無線通信によるパケット通信量の情報を含むステータス情報が携帯端末装置からサーバ装置へ送られる。よって、サーバ装置はステータス情報に基づいて無線通信に関する課金情報を生成することができ、携帯通信所業者はそれにより課金を行うことが可能となる。
【００１１】
また、本発明の他の観点では、ネットワークを介してサーバ装置と通信可能な携帯端末装置は、前記ネットワークを介さない無線通信により他の端末装置と通信する無線通信手段と、前記無線通信手段による無線通信を伴う処理を実行するアプリケーションと、前記アプリケーションが正規であるか否かを判定し、正規である場合にのみ、前記アプリケーションによる前記無線通信の実行を許可する制御手段と、を備える。
【００１２】
上記の携帯端末装置によれば、携帯電話などの携帯端末装置はネットワークを通じてサーバ装置と通信可能であることに加え、無線通信手段を有することにより、前記ネットワークを介さずに他の端末装置との無線通信が可能である。携帯端末装置には、その無線通信を伴う処理を実行するためのアプリケーションが実装されている。携帯端末上におけるアプリケーションの実行の際には、そのアプリケーションが正規なものであるか否かを制御手段が判定し、正規である場合に限り、アプリケーションの実行、即ち無線通信の実行を許可する。逆に、アプリケーションが正規でない場合には、アプリケーションの実行、即ち無線通信の実行を禁止する。これにより、正規なアプリケーションのみが携帯端末装置上で実行され、無線通信を行うことが許容されることになり、不正なアプリケーションが携帯端末装置により無線通信を実行することを制限することができる。
【００１３】
上記の携帯端末装置の一態様では、前記アプリケーションは、正規アプリケーションであることを示す認証情報を含み、前記制御手段は前記認証情報を利用して前記アプリケーションが正規であるか否かの判定を行うように構成することができる。これにより、携帯端末装置の制御手段は、アプリケーション内に含まれる認証情報を参照して当該アプリケーションが正規であるか否かを迅速かつ確実に判定することができる。
【００１４】
上記の携帯端末装置の他の一態様では、前記制御手段は、前記無線通信の実行状況を示すステータス情報を取得し、前記ネットワークを通じて前記サーバ装置へ送信するステータス情報送信手段を備えることができる。これにより、正規なアプリケーションにより、携帯端末装置を利用して無線通信が実行されたときには、その無線通信の実行状況がステータス情報としてサーバ装置へ報告される。よって、サーバ装置は、携帯端末装置を利用した無線通信の実行状況を把握し、管理することができる。また、携帯通信事業者などは、ステータス情報を利用して、所定の課金を行うこともできる。
【００１５】
上記の携帯端末装置の他の一態様では、前記制御手段は、前記無線通信手段による無線通信によるパケット通信量を検出する通信量検出手段を備え、前記ステータス情報送信手段は、前記携帯端末装置の識別情報、前記アプリケーションの識別情報及び前記パケット通信量を含む前記ステータス情報を送信する。これにより、サーバ装置は、携帯端末装置毎に、無線通信の実行を生じさせるアプリケーションの識別情報及びその無線通信による通信量を把握することができるので、アプリケーションの実行の管理や課金などを容易に行うことができる。
【００１６】
本発明の他の観点では、ネットワークを介してサーバ装置と通信可能であり、かつ、前記ネットワークを介さない無線通信により他の端末装置と通信可能な携帯端末装置において実行される通信管理プログラムは、前記携帯端末装置を、前記無線通信を伴う処理を実行するために前記携帯端末装置に実装されているアプリケーションが正規であるか否かを判定し、正規である場合にのみ、前記アプリケーションによる前記無線通信の実行を許可する制御手段として機能させる。このプログラムを、上記の携帯端末装置上で実行することにより、上述の通信管理を実行することが可能となる。
【００１７】
【発明の実施の形態】
以下、図面を参照して本発明の好適な実施の形態について説明する。本発明のシステムでは、携帯電話などの携帯通信端末上に、近距離無線通信機能を搭載し、その通信機能により携帯通信端末同士が携帯通信事業者のネットワークとは独立した狭域無線通信ネットワークを構成可能とする。そして、携帯通信事業者は、携帯通信端末を利用した利用者間の無線通信情報を携帯通信端末から取得することにより、狭域無線通信ネットワークにおける通信状態の管理や必要な課金などを可能とするものである。
【００１８】
［通信システムの構成］
図１は本通信システムの実施環境の一例である。携帯通信事業者は独自の携帯通信事業者ネットワーク３を有し、利用者は、携帯通信端末の典型例である携帯電話１により、携帯通信事業者ネットワーク３を介して他の携帯電話１との間で通話などのサービスを受けることができる。また、携帯通信事業者ネットワーク３はインターネット・ゲートウェイサーバ５を介してインターネット６に接続されており、携帯電話１の利用者は、携帯通信事業者ネットワーク３及び携帯通信事業者ネットワーク上に設置されたゲートウェイサーバ５を通じてインターネット６に接続し、各種ウェブサーバ７が提供する情報提供サービスを受けることができる。なお、この場合、携帯通信事業者は、携帯電話１がウェブサーバ７などのインターネット環境に接続した回数や、インターネット上のウェブサーバ７などから受信した情報パケット量などの通信情報を、ゲートウェイサーバ５上で取得することができる。よって、携帯通信事業者は、携帯通信事業者ネットワーク３を介して利用者が行った情報通信に対して、携帯電話１の利用者に必要な課金を行うことができる。
【００１９】
一方、携帯電話１は、例えば通信距離が数十ｍの近距離無線通信機能を備える。複数の携帯電話１は、各々が備える近距離無線通信機能により携帯通信事業者のネットワーク３を介することなく相互に無線通信が可能となり、それにより携帯通信事業者ネットワーク３とは独立したパーソナル・エリア・ネットワーク（Ｐｅｒｓｏｎａｌ　Ａｒｅａ　Ｎｅｔｗｏｒｋ、以下「ＰＡＮ」とも記す。）２が構成される。よって、利用者は携帯電話１を使用して、ＰＡＮ２を構成する他の携帯電話１との間で無線通信を行うことができる。
【００２０】
ここで、ＰＡＮ２は無線通信事業者ネットワーク３とは独立しているため、そのままでは、携帯電話１の利用者はＰＡＮ２を利用して無料かつ無秩序に他の利用者との間で情報通信が可能となってしまう。そこで、本発明のシステムでは、携帯電話１がＰＡＮ２上で情報通信を行うことに対して制限を設けるとともに、携帯電話１がＰＡＮ２上で行った情報通信に関する情報を携帯通信事業者が収集する手段を設ける。これを、以下「ＰＡＮ管理機能」と呼ぶことにする。ＰＡＮ管理機能により、ＰＡＮ２上で利用者が携帯電話１を使用して無秩序な情報通信を行うことを制限するとともに、携帯電話１がＰＡＮ２上で行った情報通信に対し、必要に応じて携帯通信事業者が課金することを可能とする。これは具体的には、携帯電話１内部にＰＡＮ２の通信を管理する手段を設けるとともに、携帯通信事業者ネットワーク３上にパーソナル・エリア・ネットワーク・ライセンスサーバ（以下、単に「ライセンスサーバ」と呼ぶ。）４を設けることにより実現される。
【００２１】
以下、その詳細について説明する。図２に、ＰＡＮ管理機能を含む通信システムの概略構成を示す。図示のように、携帯電話１は、ＰＡＮ管理機能の一部として、公式ＰＡＮアプリケーション１１と、公式ＰＡＮチップ１２とを備える。なお、携帯電話１は、これらＰＡＮ管理機能の他に、通常の携帯通信事業者ネットワーク３を通じた情報通信のための機能を備えるが、それらは既知であるので特に詳細な説明は行わない。
【００２２】
公式ＰＡＮアプリケーション１１は、携帯電話１上で実行されるアプリケーションであり、携帯通信事業者によりＰＡＮ２上での実行を許可された正規のアプリケーションである。公式ＰＡＮアプリケーション１１は、携帯電話１の利用者に対して特定のサービス提供者が提供するアプリケーションであり、サービス提供者が携帯通信事業者による認可などを得た後、専用の開発ツールなどを利用して作成される。公式ＰＡＮアプリケーション１１を携帯電話１上で実行することにより、携帯電話１はそのアプリケーション実行中にＰＡＮ２を通じて他の携帯電話１などと無線通信することが可能となる。
【００２３】
公式ＰＡＮアプリケーション１１を提供するサービス提供者は、例えばインターネット６上のウェブサーバ７上で公式ＰＡＮアプリケーションを利用者に配布することができる。具体的には、図２に示すように、ウェブサーバ７に接続されたデータベース９内に各種の公式ＰＡＮアプリケーション１１を保持する。公式ＰＡＮアプリケーション１１を取得したい利用者は、携帯電話１を操作して携帯通信事業者ネットワーク３、ゲートウェイサーバ５及びインターネット６を介してウェブサーバ７へ接続し、所望の公式ＰＡＮアプリケーションを指定してそれを携帯電話１へダウンロードすることができる（図２の矢印▲１▼を参照）。また、他の方法として、携帯通信事業者が運営するライセンスサーバ４上に、各サービス提供者が提供する各種の公式ＰＡＮアプリケーション１１を保持し、利用者がライセンスサーバ４から各種の公式ＰＡＮアプリケーション１１を取得可能とすることもできる。この場合には、ライセンスサーバ４は、公式ＰＡＮアプリケーションのポータルサイト的な役割を有することになる。
【００２４】
公式ＰＡＮアプリケーション１１の構成を図３（ａ）に模式的に示す。公式ＰＡＮアプリケーション１１は、ＰＡＮ２上において無線通信を実行することにより所定の処理を実行するアプリケーションソフトウェア２０などに加えて、その公式ＰＡＮアプリケーション自身が正規（つまり、携帯通信事業者による認可などを経て作成されたもの）であることを証明するための認証情報２１を含んでいる。
【００２５】
また、ＰＡＮ管理機能として、携帯電話１は図２に示すように公式ＰＡＮチップ１２を備えている。公式ＰＡＮチップ１２は、販売時において携帯電話１内部に半導体チップなどの形態で搭載されており、公式ＰＡＮアプリケーション１１及びライセンスサーバ４との間で必要な通信や処理を行うことにより、ＰＡＮ２内における携帯電話１の通信を管理する。
【００２６】
公式ＰＡＮチップ１２の構成を図３（ｂ）に模式的に示す。図示のように、公式ＰＡＮチップ１２は、ＰＡＮ通信機能３１と、パケットカウンタ機能３３と、タイマー機能３４と、カレンダー機能３５と、認証情報３２ａを含む認証機能３２と、ステータス情報格納部３６と、ステータス送信機能３７とを備える。
【００２７】
ＰＡＮ通信機能３１は、携帯電話１がＰＡＮ２上において通信を実行するために必要とされる基本的な機能である。パケットカウンタ機能３３は、携帯電話１がＰＡＮ２上で情報通信を実行した際の通信パケット量を取得する機能である。タイマー機能３４は、公式ＰＡＮチップ１２における基準時刻を保持する専用時計機能であり、外部からの変更不能に構成されている。また、タイマー機能３４は、基準時刻に基づいて、携帯電話１によるＰＡＮ２上の通信時間を取得することができる。カレンダー機能３５は、タイマー機能３４が有する基準時刻に基づいて情報取得期間などの期間の管理を行う機能である。
【００２８】
認証機能３２は、公式ＰＡＮアプリケーション１１との間で認証処理を実行するための機能である。この認証処理は、携帯電話１に導入されたアプリケーションが正規の公式ＰＡＮアプリケーション１１であるか否か、即ち、ＰＡＮ２上の無線通信を許可してよいか否かを判断する処理である。具体的には、認証機能３２は、公式ＰＡＮアプリケーション１１内の認証情報２１と、内部の認証情報３２ａとを利用して認証を行う。
【００２９】
いま、あるアプリケーション（便宜上「不明アプリケーション」と呼ぶ。）が携帯電話１に導入され、利用者がそれを実行した場合に、その不明アプリケーションがＰＡＮ２上の通信を伴うものであると仮定する。その場合、公式ＰＡＮチップ１２の認証機能３２は、その不明アプリケーションに対して認証情報を要求する。不明アプリケーションが公式ＰＡＮアプリケーションであるならば、その内部に認証情報２１が含まれているので、公式ＰＡＮチップはその認証情報２１を利用して認証処理を実行する。その結果、当該不明アプリケーションが公式ＰＡＮアプリケーションであることが確認されると、公式ＰＡＮチップ１２は、ＰＡＮ通信機能３１を動作可能として、当該公式ＰＡＮアプリケーションがＰＡＮ２上で情報通信を行うことを許容する（図２の矢印▲２▼を参照）。一方、不明アプリケーションが公式ＰＡＮアプリケーションでない場合には、公式ＰＡＮチップ１２により認証は不成功に終わるので、公式ＰＡＮチップ１２はＰＡＮ通信機能３１を動作不能とするなどの方法により、当該不明アプリケーションがＰＡＮ２上で情報通信することを禁止する。
【００３０】
この認証機能３２により、携帯通信事業者に対して正規に手続きをした上で作成された公式ＰＡＮアプリケーション１１のみがＰＡＮ２上での情報通信を許可されるという管理体制が実現できる。なお、認証機能３２による認証方法は、例えば公開鍵暗号方式その他の各種の認証手法を適用することができる。
【００３１】
ステータス情報格納部３６は、携帯電話１によるＰＡＮ２上の通信に関するステータス情報を格納する。ここで、ステータス情報には、携帯通信事業者により当該携帯電話１の利用者に割り当てられた端末ユーザＩＤの他に、利用者が使用している公式ＰＡＮアプリケーションを識別するための公式ＰＡＮアプリケーション情報、利用者が公式ＰＡＮアプリケーションを実行することによりＰＡＮ２上で行った情報通信のパケット使用量や通信時間などを含む。なお、公式ＰＡＮアプリケーション情報は公式ＰＡＮアプリケーション１１から取得することができる。また、パケット使用量はパケットカウンタ機能３３により取得することができ、通信時間はタイマー機能３４により取得することができる。従って、利用者が携帯電話１を使用して公式ＰＡＮアプリケーションを実行し、ＰＡＮ２上で情報通信を行うたびに、ステータス情報が更新されてステータス情報格納部３６に保存される。
【００３２】
ステータス情報送信部３７は、携帯電話１が携帯通信事業者ネットワーク３と通信可能な状態のときに、ステータス情報格納部３６内のステータス情報を定期的にライセンスサーバ４へ送信する（図２の矢印▲３▼を参照）。図２に示すように、ライセンスサーバ４はステータス情報管理データベース（ＤＢ）８を備え、各携帯電話１から送信されるステータス情報を利用者毎に格納する。こうして、ライセンスサーバ４は、各携帯電話１によるＰＡＮ２上の情報通信を管理することができる。ステータス情報管理ＤＢ８内に格納された状態のステータス情報例を図５に示す。
【００３３】
また、ライセンスサーバ４が取得したステータス情報に基づいて、携帯通信事業者は利用者の公式ＰＡＮアプリケーションの使用に対する課金を行うことも可能である。課金の方法は様々であるが、例えば公式ＰＡＮアプリケーションがサービス提供者から携帯電話１の利用者に対して無料で提供される場合には、携帯通信事業者は公式ＰＡＮアプリケーションの月ごとの使用回数に対して所定の金額を使用料としてサービス提供者に請求することができる。また、公式ＰＡＮアプリケーションが携帯電話１の利用者に対して有料で提供される場合には、携帯通信事業者が利用者から使用料を徴収した後、その一部を公式ＰＡＮアプリケーション使用料としてサービス提供者に納めることもできる。なお、課金のモデルは多数考えられ、本発明のシステムでは固定制及び従量制のいずれも採用することができる。
【００３４】
なお、最近では、携帯電話１内部に利用者情報を記憶するデバイスであるユーザー・アイデンティティ・モジュール・カード（Ｕｓｅｒ　Ｉｄｅｎｔｉｔｙ　Ｍｏｄｕｌｅ　カード、以下「ＵＩＭカード」と呼ぶ。）を搭載するものがある。ＵＩＭカード１３は電話番号等の加入者情報やセキュリティ情報等を保持するＩＣカードなどの記憶デバイスである。よって、携帯電話１がＵＩＭカード１３を搭載している場合には、図４（ａ）に示すように、前述の公式ＰＡＮチップ１２内のステータス情報格納部３６及び認証機能３２はＵＩＭカード１３の加入者情報記憶エリア及びセキュリティ機能を利用することができる。その場合、図４（ｂ）に示すように、公式ＰＡＮチップ１２はＵＩＭカード１３とともに動作して、公式ＰＡＮアプリケーションのＰＡＮ２上での情報通信を管理することになる。なお、ステータス情報を定期的にライセンスサーバ４へ送信するなど、公式ＰＡＮチップ１２が有する各機能はＵＩＭカード１３を有しない携帯電話１の場合と同様に実行される。
【００３５】
次に、本システムにおける処理の流れを図２及び図６を参照して説明する。図６は、利用者が携帯電話１を使用して公式ＰＡＮアプリケーションを実行する際の処理を示すフローチャートである。
【００３６】
サービス提供者は、ウェブサーバ７などを利用して公式ＰＡＮアプリケーションを提供しており（ステップＳ１）、利用者は携帯電話１を利用してウェブサーバ７へ接続し、所望の公式ＰＡＮアプリケーション１１を携帯電話１へダウンロードする（ステップＳ２）。そして、利用者が公式ＰＡＮアプリケーション１１を起動すると、携帯電話１内の公式ＰＡＮチップ１２は認証機能３２により公式ＰＡＮアプリケーション１１の認証を行う（ステップＳ３）。正規でないアプリケーションは公式ＰＡＮチップ１２による認証が失敗するため（ステップＳ４；Ｎｏ）、アプリケーションの実行が禁止される。
【００３７】
認証が成功すると（ステップＳ４；Ｙｅｓ）、公式ＰＡＮチップ１２は公式ＰＡＮアプリケーション１１の実行を許可し、公式ＰＡＮアプリケーション１１はＰＡＮ２における無線情報通信を実行する（ステップＳ５）。その間、公式ＰＡＮチップ１２はステータス情報を収集して記憶しており、定期的にライセンスサーバ４へ送信する（ステップＳ６）。
【００３８】
ライセンスサーバ４は、ステータス情報を受信してステータス情報ＤＢ８に格納するとともに（ステップＳ７）、ステータス情報に基づいて課金その他の必要な処理を実行する（ステップＳ８）。
【００３９】
【発明の効果】
以上説明したように、本発明によれば、携帯通信事業者は、自身のネットワークを介することなく行われるＰＡＮ上の通信に一定の制限を設けてその実行を管理するとともに、その通信情報を取得して課金その他に利用することができる。よって、携帯通信事業者の利益が損なわれることなく、携帯通信事業者ネットワークと無線通信ネットワークとを両立させることが可能となる。
【図面の簡単な説明】
【図１】本発明の通信管理システムの概略構成を示す図である。
【図２】図１に示す通信管理システムの動作状況を示す図である。
【図３】公式ＰＡＮアプリケーション及び公式ＰＡＮチップの構成例を示す。
【図４】公式ＰＡＮチップの他の例、及びそれに対応する携帯電話の構成を示す。
【図５】公式ＰＡＮチップにより取得されるステータス情報の例である。
【図６】本発明の通信管理システムによる処理のフローチャートである。
【符号の説明】
１　携帯端末
２　パーソナル・エリア・ネットワーク（ＰＡＮ）
３　携帯通信事業者ネットワーク
４　ＰＡＮライセンスサーバ
５　インターネット・ゲートウェイサーバ
６　インターネット
７　ウェブサーバ
１１　公式ＰＡＮアプリケーション
１２　公式ＰＡＮチップ
【図１】
2004128926.tif 000003
【図２】
2004128926.tif 000004
【図３】
2004128926.tif 000005
【図４】
2004128926.tif 000006
【図５】
2004128926.tif 000007
【図６】
2004128926.tif 000008